【事件の表示】
　特願２０１２−１３６３７４号「スロットマシン」拒絶査定不服審判事件〔平成２６年１月９日出願公開、特開２０１４−１７２号〕について、次のとおり審決する。
【結　論】
　本件審判の請求は、成り立たない。
【理　由】
第１　手続の経緯
　本願は、平成２４年６月１５日の特許出願であって、平成２８年３月２４日付けで拒絶の理由が通知され、同年５月２５日に意見書及び手続補正書が提出され、同年１０月３１日付けで拒絶査定がなされ（発送日：同年１１月８日）、それに対し、平成２９年２月８日に拒絶査定不服審判の請求がなされると同時に手続補正書が提出されたものである。
　
第２　平成２９年２月８日付けの手続補正についての補正却下の決定
［補正却下の決定の結論］
　平成２９年２月８日付けの手続補正（以下「本件補正」という。）を却下する。
　
［理由］
　１　補正の内容
　本件補正は、特許請求の範囲の補正を含んでおり、本件補正により、平成２８年５月２５日付けの手続補正書における特許請求の範囲の請求項２における
「【請求項２】
　各々が識別可能な複数種類の識別情報が所定の順番で配置された表示帯を移動させることで変動表示可能な可変表示部を複数備え、
　可変表示部の変動表示を停止することで表示結果を導出し、複数の可変表示部の表示結果の組合せに応じて入賞が発生可能なスロットマシンにおいて、
　遊技者が表示結果を導出させるために操作する導出操作手段と、
　可変表示部の変動速度が規定速度となったときに前記導出操作手段の操作を有効化する導出操作有効化手段と、
　前記導出操作手段が操作されたときに表示結果を導出する制御を行う導出制御手段と、
　複数の可変表示部を構成する表示帯同士の相対的な位置関係が特定位置関係となるように複数の可変表示部の変動制御を行う特殊変動制御を行うことが可能な特殊変動制御手段と、
　前記特殊変動制御が行われた後、一の可変表示部の変動速度を前記規定速度に向けて変更する第１の変動速度変更手段と、
　前記一の可変表示部の変動速度を前記規定速度に向けて変更させる制御が開始されてから特定時間が経過したことに基づいて他の可変表示部の変動速度を前記規定速度に向けて変更する第２の変動速度変更手段と、
　前記特定時間を前記一の可変表示部が一周するまでの時間範囲内からランダムに決定する特定時間決定手段と、
　を備える
　ことを特徴とするスロットマシン。」を、
　
　審判請求時に提出された手続補正書（平成２９年２月８日付け）における
「【請求項２】
Ａ　各々が識別可能な複数種類の識別情報が所定の順番で配置された表示帯を移動させることで変動表示可能な可変表示部を複数備え、
Ｂ　可変表示部の変動表示を停止することで表示結果を導出し、複数の可変表示部の表示結果の組合せに応じて入賞が発生可能なスロットマシンにおいて、
Ｃ　遊技者が表示結果を導出させるために操作する導出操作手段と、
Ｄ　可変表示部の変動速度が規定速度となったときに前記導出操作手段の操作を有効化する導出操作有効化手段と、
Ｅ　前記導出操作手段が操作されたときに表示結果を導出する制御を行う導出制御手段と、
Ｆ　複数の可変表示部を構成する表示帯同士の相対的な位置関係が特定位置関係となるように複数の可変表示部の変動制御を行う特殊変動制御を行うことが可能な特殊変動制御手段と、
Ｇ　前記特殊変動制御が行われた後、一の可変表示部の変動速度を前記規定速度に向けて変更する第１の変動速度変更手段と、
Ｈ　前記一の可変表示部の変動速度を前記規定速度に向けて変更させる制御が開始されてから特定時間が経過したことに基づいて他の可変表示部の変動速度を前記規定速度に向けて変更する第２の変動速度変更手段と、
Ｉ　前記特定時間を前記一の可変表示部が一周するまでの時間範囲内からランダムに決定する特定時間決定手段と、
Ｊ　
一定時間間隔毎に定期処理を実行する定期処理実行手段と、
　を備え
、
Ｋ　
前記特定時間決定手段は、前記特定時間として前記定期処理の時間間隔と特定値から算出される時間が前記一の可変表示部が一周するまでの時間範囲内となるように特定値をランダムに決定し、
Ｌ　
前記特定時間決定手段により決定された特定値は前記定期処理において更新され
Ｍ　
前記第２の変動速度変更手段は、前記定期処理により更新された特定値が所定値となったことに基づいて他の可変表示部の変動速度を前記規定速度に向けて変更する
　ことを特徴とするスロットマシン。」に補正するものである（下線は、補正箇所を明示するために当審にて付した。また、Ａ〜Ｍは、当審にて分説して付した。）。
　
　２　補正の目的
　上記補正は、補正前の請求項２に記載した発明を特定するために必要な事項である「特定時間決定手段」に関して、「
一定時間間隔毎に定期処理を実行する定期処理実行手段と、
、前記特定時間決定手段は、前記特定時間として前記定期処理の時間間隔と特定値から算出される時間が前記一の可変表示部が一周するまでの時間範囲内となるように特定値をランダムに決定し、前記特定時間決定手段により決定された特定値は前記定期処理において更新され
前記第２の変動速度変更手段は、前記定期処理により更新された特定値が所定値となったことに基づいて他の可変表示部の変動速度を前記規定速度に向けて変更する
　
　そして、本件補正は新規事項を追加するものではない。
　
　３　独立特許要件について
　そこで、本件補正後の特許請求の範囲の請求項１〜２に係る発明は、その請求項１〜２に記載された事項により特定されるものと認められるところ、その請求項２に係る発明（以下「本件補正発明」という。）が特許出願の際独立して特許を受けることができるものであるか（特許法第１７条の２第６項において準用する同法第１２６条第７項の規定に適合するか）について以下に検討する。
　
　（１）刊行物１
　原査定の拒絶理由において提示された、本願の出願前に頒布された刊行物である特開２０１２−９５９６６号公報（以下「刊行物１」という。）には、図面と共に次の事項が記載されている（下線は審決にて付した。以下同じ。）。
　・記載事項
　　　ア　「【請求項１】
　周囲に複数の図柄が付された複数個の回転リールと、
　回転リールの回転を開始させるためのスタートスイッチと、
　
回転リールの回転を停止させるためのストップスイッチと
　回転リールの図柄の停止表示の態様により構成される当選役を抽選により決定するための役抽選手段とを備え、
　スタートスイッチの操作により回転リールの回転を開始させるとともに、役抽選手段により複数の役のいずれかに当選か又はハズレかの抽選を行い、その抽選の結果及びストップスイッチの操作に基づいて回転リールの回転を停止させ、当選した役に係る図柄の組み合わせが表示窓の所定位置に揃ったか否かの判定を行い、その判定の結果に応じて所定の利益を遊技者に付与する又は付与しないことで１回の遊技が終了する遊技機であって、
・・・」
　
　　　イ　「【技術分野】
【０００１】
　この発明は、
回転リールによる回胴演出が可能な遊技機に関する。
・・・
【発明が解決しようとする課題】
【０００５】
　しかし、上記した回転中に所定の図柄を揃えてしまう回胴演出は、当該所定の図柄を揃えることができるかもしれないという期待感の高揚はあるものの、所定図柄が並列した状態で回転するため、そのままでは、いわゆる目押しの補助となってしまうという問題点があった。所定図柄が並列した状態で回転することにより、通常の目押しに比べて、回転中の図柄の認識を著しく容易にしてしまい、そうでない場合と比較してあまりにも不公平になってしまうものである。そして、熟練した遊技者によっては、そのような目押し補助となるようなものは、面白みが半減してしまう者もいた。
　そこで、本発明は、上記した従来の技術の有する問題点に鑑みてなされたものであり、その目的とするところは、
回胴演出後、目押しの補助とならないようにして、遊技の興趣を向上させようとする
　
　　　ウ　「【００１６】
　また、前扉14の上部には、上パネル12aを備え、前扉14の下部には、下パネル12bを備え、前扉14の前面における、上パネル12aと下パネル12bとの間には、前方へ向けて突出する操作部12cを備えている。
　前記上扉3には、遊技者側に向かって臨む略四角窓状の上パネル12aが形成されている。そして、この上パネル12aの略中央には、
三個の回転リール40の円周に貼付したリールテープ42上の図柄61
回転リール40の回転
・・・
【００２０】
　そして、下扉4の下部には、所定の役の図柄が有効ライン上に表示された場合に、貯留払い出し手段65からメダルが払い出される払い出し口32が形成され、この払い出し口32の下方には、払い出し口32から払い出されたメダルを貯留するため、上方に向かって開口する皿状の払い出し皿33が形成されている。
　本実施の形態に係る遊技機10は、原則として、ベットスイッチ16操作又はメダル投入後のスタートスイッチ30の押下により、回転リール40の回転を開始すると共に、役抽選を行い、
各回転リール40のストップスイッチ50の押下タイミング及び役抽選の結果に基づいて、回転リール40の回転を役抽選の結果に適合するように停止させ、停止時の図柄の組み合わせによって、当選した役の所定図柄が有効ライン上に停止表示された場合に、所定枚数のメダルを払い出す等の所定の特典（利益）を遊技者に付与するスロットマシン
・・・
【００２２】
　
回転リール40は、２１個の図柄を周囲に均等に配列した筒状のものである。そして、各回転リール40は、合成樹脂からなる回転ドラムと、この回転ドラムの周囲に貼付されるとともに、複数個（２１個）の図柄61が表示されているテープ状のリールテープ42とを備えている
　前記回転位置検知装置46は、回転リール40の回転ドラムから横方向に突出している突出片状のインデックス47と、回転リール40の周囲の支持部材49から突出するとともにインデックス47の通過を光センサーの遮断によって検知するためのインデックスセンサ48とを備えている。」
　
　　　エ　「【００２９】
　そして、前記通常遊技制御手段70は、通常遊技を行わせるために通常遊技に関する制御を行うものであり、前記特別遊技制御手段80は、特別遊技を行わせるために特別遊技に関する制御を行う。
　（通常遊技制御手段70）
　
通常遊技制御手段70は
　以下、遊技機10における通常遊技について説明する。１回の遊技につき、遊技媒体としてのメダルを３枚ベットすることが可能である。３枚のメダルをベットすると、５本全てのラインが有効になる。なお、３枚投入だけしか有効にならない３枚専用機とすることもできる。そして、有効になったラインを、以下、「有効ライン」と称する。また、メダルのベットには、メダル投入口18からメダルを投入することによるベットと、ベットスイッチ16を操作することによるクレジットされているメダルのベットとがある。また、再遊技のときには、前回の遊技でベットした枚数と同数のメダルが自動的にベットされる。また、３枚のメダルのベットを条件に、遊技を開始することが可能となり、スタートスイッチ30を操作すると、複数の役のいずれかに当選か又はハズレかの役抽選が行われるとともに、３個すべての回転リール40の回転が開始する。その後、
３個すべての回転リール40の回転が所定の定常回転速度になって定常回転するようになると、３個すべてのストップスイッチ50が有効になり、ストップスイッチ50の操作が有効になる
　
　　　オ　「【００４１】
　（回転中図柄位置抽選手段184）
　回転中図柄位置抽選手段184は、一部又は全部の回転中の複数の回転リール40同士の図柄61の位置を抽選により決定するためのものである。具体的には、回転中図柄位置抽選手段184は、回転中の３個の回転リール40同士の図柄の相対的な位置関係を抽選により決定する。
　具体的には、回転中図柄位置抽選手段184は、基準となる左リール43の特定図柄61aとしての図柄「赤７」に対して、中リール44及び右リール45の図柄「赤７」を何コマずらすかを抽選により決定するものである。左リール43の図柄「赤７」の横に中リール44又は右リール45の図柄「赤７」が位置しているときのずれは０コマとなり、その位置から中リール44又は右リール45の図柄「赤７」が回転下流側に１コマずれた場合のずれは１コマとなる。通常、
全周で０コマから２０コマのずれが発生し得ることになるが
回転中図柄位置抽選手段184は、この０コマから２０コマの２１個の数値のうち、０コマを除く、１コマから２０コマまでの２０個のうちから１つの数値を、中リール44について抽選で決定する
　
　　　カ　「【００４８】
　また、本実施の形態では、
回転リール40を所定の定常回転速度で回転させるための移行処理
が終了してから、ストップスイッチ50の操作が有効となるように形成されている
　（ウェイト制御手段190）
　ウェイト制御手段190は、１回の遊技における遊技時間が、予め定められた所定時間（以下、「ウェイト時間」と称す。）以下とならないように制御するものである。本実施の形態では、ウェイト時間は、４．１秒に設定されている。また、本実施の形態では、ウェイト制御手段190は、計時手段150によりウェイト時間を計時している。具体的には、ウェイト制御手段190は、一の遊技において、回転制御手段250により回転リール40の回転が開始されたことを契機に、計時手段150に計時を開始させる。そして、次の遊技において、回転制御手段250により回転リール40の回転が開始されたことを契機に、計時手段150による計時をリセットして再度計時を開始させる。そして、それ以降の遊技においても同様に、毎遊技、回転制御手段250により回転リール40の回転が開始されたことを契機に、計時手段150による計時をリセットして再度計時を開始させる。」
　
　　　キ　「【００５１】
　（停止制御手段130）
　
停止制御手段130は、役抽選手段110の抽選の結果と、各ストップスイッチ50が操作された際における対応する回転リール40の回転位置とに基づいて、各回転リール40の回転を停止させるものである
　具体的には、停止制御手段130は、各ストップスイッチ50が操作された際における対応する回転リール40の回転位置を、対応するインデックスが検知されてから対応するストップスイッチ50が操作されるまでの間における対応するステッピングモータのステップ数で特定しつつ、ストップスイッチ50が操作された時点で、有効ライン上に直ちに停止できる図柄（すなわち、回転リール40の回転位置）を基準として、この図柄から回転方向に予め定められた個数（最大スベリコマ数、例えば４コマ）移動した図柄までの範囲内で、対応する回転リール40を停止させるように形成されている。」
　
　　　ク　「【００５４】・・・
　（停止図柄判定手段140）
　停止図柄判定手段140は、すべての回転リール40の回転が停止した際に、いずれかの役に対応する図柄の組み合わせがいずれかの有効ライン上に停止表示されているか否かを判定し、この判定結果に基づいた制御を行うものである。すなわち、所定の役を構成する図柄の組み合わせが停止表示された場合に、この停止表示された役に応じた信号を出力するように形成されている。
【００５５】
　具体的には、停止図柄判定手段140は、各制御手段に信号を出力する。そして、例えば、小役に係る信号が入力された遊技制御手段27は、貯留払い出し手段65を作動させて所定枚数のメダルを払い出すように制御する。また、例えば、再遊技役に係る信号が入力された遊技制御手段27は、再度の遊技の制御を行う。また、例えば、ボーナス役に係る信号が入力された特別遊技制御手段80は、特別遊技を開始する。より具体的には、例えば、ＢＢ役に係る信号が入力された特別遊技制御手段80は、ＢＢゲームを開始する。
　（計時手段150）
　
計時手段150は、所定時間を計時するための
タイマー機構を備えているものである
　
　　　ケ　「【００５８】
　また、本実施の形態では、停止演出制御手段300は、回胴演出抽選手段120の抽選の結果に基づいて、回胴演出データ記憶手段210から入手した回胴演出データによって、回胴演出を実行するように形成されている。
　
停止演出制御手段300は、
所定の配置態様を維持した複数の回転リール40を同一回転速度で回転させ、その後、そのままの状態で停止させる回胴演出
を行う
・・・
【００６２】
　これにより、停止演出制御手段300は、時刻Ｔ３からＴ４までの途中で時間ｔだけ、３個の回転リール40の図柄「赤７」を横並びに並列させた状態で、回転を停止させる回胴演出としての停止演出を実施することができる。
　停止演出制御手段300は、回転位置判断手段161からの回転リール40の回転位置データ及び回胴演出データ記憶手段210に記憶させている回転速度及び維持時間等のデータに基づき、内部の演算手段により時間等を算出しているものである。そして、この演算算出は、回転位置判断手段161からの最新の回転位置データの更新により、その都度、演算結果の修正を行いながら実行しているものである。すなわち、停止演出制御手段300は、回転リール40を制御するのに回転位置及び回転速度から算出される所定の時間等の時間経過情報と、回転位置判断手段161から入ってくる回転リール40の回転位置情報との両方で、回転リール40を制御しているものである。なお、停止演出制御手段300は、これに限定されることなく、所定の時間経過情報を主として回転リール40を制御してもよく、また、回転位置情報を主として回転リール40を制御してもよい。
【００６３】
　例えば、現在の図柄位置情報だけを判定して、その判定結果が所定の図柄位置になるまで、所定の回転速度を継続するように制御し、所定の図柄位置となったときに回転速度を変更等するように形成してもよい。
　また、例えば、
停止演出制御手段300は、回胴演出開始時に、各回転リール40について
計時手段150のタイマー手段が、タイムアップしたら、速度調整処理等を行うように、主に時間経過を判定するだけで制御するように形成してもよい
　また、停止演出制御手段300は、上述したように、採取した各種データに基づいて内部の演算手段により回転リール40の回転を制御しているが、特にこのようなものに限定されるものではなく、最初の停止位置データから、予め全ての位置データ及びその位置データから算出される回転速度及びその維持時間等を記録したデータテーブルを、回胴演出データ記憶手段210に設けておき、当初の停止位置データ及び予め記憶したデータに基づいて、回転リール40を制御するようにしてもよい。」
　
　　　コ　「【００６５】
　・・・
　（再回転制御手段310）
　
再回転制御手段310は、
停止演出（回胴演出）後、
回転リール40を再回転させる
　
　　　サ　「【００７４】
・・・なお、
再回転制御手段310は、停止演出制御手段300と同様に、
所定の時間経過情報を主として回転リール40を制御してもよく
【００７５】
　なお、再回転制御手段310は、上述したように、採取した各種データに基づいて内部の演算手段により回転リール40の回転を制御しているが、特にこのようなものに限定されるものではなく、
予め全ての位置データ及びその位置データから算出される回転速度及びその維持時間等を記録したデータテーブルを、回胴演出データ記憶手段210に設けておき、上当初の停止位置データ及び予め記憶したデータに基づいて、回転リール40を制御するようにしてもよい。
　
　　　シ　「【００８５】
　ステップ１５１において、回胴演出に当選しているか否かが判定される。そして、回胴演出に当選していると判定された場合、次のステップ１５２に進む。
　ステップ１５２において、
回転中図柄位置抽選手段184により、基準となる左リール43の図柄「赤７」に対して、中リール44の図柄「赤７」が何コマ（ｎコマ）離れているかのコマ数ｎを１〜２０の整数から抽選により決定する処理が行われる
　ステップ１５３において、回転中図柄位置抽選手段184により、基準となる左リール43の図柄「赤７」に対して、右リール45の図柄「赤７」が何コマ（ｍコマ）離れているかのコマ数ｍを１〜２０の整数のうち、ステップ１５２で決定した数値を除外したものから抽選により決定する処理が行われる。そして、次のステップ１５４に進む。なお、ｎ＝ｍとなる数値を予め除外して抽選をしているが、抽選方法は同様の効果を有するものであればこれに限定されることなく、例えばｎ＝ｍとなった場合には、ｎ＝ｍとならないものになるまで抽選処理を繰り返すようなものでもよい。」
　
　　　ス　「【００９８】
　（回胴演出における回転態様（３））
・・・
【００９９】
　このように、回転リール40の回転開始タイミングをずらすことにより、回転リール40の回転加速度及び回転速度は、３個の回転リール40で全て同一に設定することができる。これにより、
回転リール40の回転制御プログラミングの製作において、変動させるパラメータを時間だけに設定して、回転加速度及び回転速度は、全て共通にすることができ
　なお、かかる場合には、前回の遊技において、回転リール40の停止位置を記憶し、その記憶を今回の遊技まで維持する必要があるため、その記憶手段を有しているものである。
・・・」
　
　　　セ　「【０１０６】
　（再配置における回転態様（４））
　また、
図２２に示すように、
時間Ｆだけ、その停止状態が続き、時刻Ｒ６において、基準となる実線で示される左リール43が回転を開始し、回転速度Ｖ１まで回転速度を増加させる
中リール44も左リール43に時間Ｇだけ遅れて時刻Ｒ７で左リール43と同一回転加速度で回転を開始し、回転速度Ｖ１まで速度を増加させる
　
　　　ソ　「【０１２２】
　ここで、再配置制御手段による所定の配置態様を崩す手法、すなわち、図柄「赤７」が揃った状態から、その揃った状態を崩す手法としては、図２４のフローに示すように、３個の回転リール40の回転速度を別々の回転速度で行うことができる。そして、その後は、上述した第１の実施の形態で説明した所定コマ数だけ離す離間再配置により所定の配置態様の再配置を行うことができる。
　具体的な遊技の流れは、第１の実施の形態のステップ１２０の回胴演出処理及び再配置処理が、図１３のフローの代わりに図２４に示すようなフローとなるものである。
　また、上述した第１〜第４の実施の形態で、
再回転制御手段310
は
図柄「赤７」の
ランダム再配置
を、１つの回転リールだけで実施するようにしてもよい。具体的には、残りの２つの回転リール40は、揃った状態のままである
　
　・認定事項
　　　タ　認定１
　【００１６】の「・・・三個の回転リール40の円周に貼付したリールテープ42上の図柄61、・・・
回転リール40の回転
複数個（２１個）の図柄61が均等に配列されているテープ状のリールテープ42が周囲に貼付され、回転可能な回転リール40を三個備える
　
　　　チ　認定２
　【００６５】の「再回転制御手段310は、停止演出（回胴演出）後、・・・回転リール40を再回転させる・・・」との記載から、刊行物１には、再回転制御手段310は、停止演出（回胴演出）後、回転リール40を再回転させる制御を行うことが記載されている。
　そして、【００７４】の「・・・再回転制御手段310は、停止演出制御手段300と同様に、・・・所定の時間経過情報を主として回転リール40を制御してもよく、・・・」との記載、及び、【００６３】の「停止演出制御手段300は、回胴演出開始時に、各回転リール40について、・・・計時手段150のタイマー手段が、タイムアップしたら、速度調整処理等を行うように、主に時間経過を判定するだけで制御するように形成してもよい。」との記載から、刊行物１には、再回転制御手段310は、各回転リール40について、所定の回転速度で所定の時間、回転させることをセットし、計時手段150のタイマー手段が、タイムアップしたら、速度調整処理等を行う、主に時間経過を判定するだけで制御することが記載されている。
　また、【００９９】には、回胴演出における回転態様（３）に関してではあるが、「回転リール40の回転制御プログラミングの製作において、変動させるパラメータを時間だけに設定して、回転加速度及び回転速度は、全て共通にすることができ」ることが記載されている。
　また、【０１０６】には、「・・・図２２に示すように、・・・時間Ｆだけ、その停止状態が続き、時刻Ｒ６において、・・・左リール43が回転を開始し、回転速度Ｖ１まで回転速度を増加させる。・・・中リール44も左リール43に時間Ｇだけ遅れて時刻Ｒ７で左リール43と同一回転加速度で回転を開始し、回転速度Ｖ１まで速度を増加させる。」ことが記載されている。
　さらに、【図２２】には、左リール43が回転を開始した後、時間Ｇ経過後、中リール44が回転を開始することが図示されている。
　
　これらの記載事項及び認定事項からみて、刊行物１には、
　「再回転制御手段310は、回転加速度及び回転速度を全て共通にし、時間をパラメータにしてリールの回転を制御するものであって、
　停止演出（回胴演出）後、計時手段150のタイマー手段がタイムアップすると（時間Ｆ経過後）、左リール43の回転を開始し、回転速度Ｖ１まで回転速度を増加させ、
　左リール43が回転を開始した後、計時手段150のタイマー手段がタイムアップすると（時間Ｇ経過後）、左リール43と同一回転加速度で中リール4の回転を開始し、回転速度Ｖ１まで速度を増加させる
　速度調整処理を行う」ことが示されているものと認められる。
　
　　　ツ　認定３
　【００８５】の「・・・全周で０コマから２０コマのずれが発生し得ることになるが、回転中図柄位置抽選手段184により、基準となる左リール43の図柄「赤７」に対して、中リール44の図柄「赤７」が何コマ（ｎコマ）離れているかのコマ数ｎを１〜２０の整数から抽選により決定する処理が行われる。・・・」との記載、及び、【００４１】の「・・・回転中図柄位置抽選手段184は、この０コマから２０コマの２１個の数値のうち、０コマを除く、１コマから２０コマまでの２０個のうちから１つの数値を、中リール44について抽選で決定する。・・・」との記載から、刊行物１には、回転中図柄位置抽選手段184が、基準となる左リール43の図柄「赤７」に対して、中リール44の図柄「赤７」が何コマ（ｎコマ）離れているかのコマ数ｎを、０コマから２０コマの２１個の数値のうち、０コマを除く、１コマから２０コマまでの２０個のうちから１つ抽選により決定する処理が行われることが記載されている。
　そして、【図２２】には、例えば、揃っていた２個のリールの特定図柄が、速度Ｖ１を時間Ｇだけ維持することにより所定コマ数だけ離れること、すなわち、回転中図柄位置抽選手段184により抽選で決定されたコマ数ｎ分離間することによる回転リール40周面における距離が、時間Ｇに回転速度Ｖ１を乗算することにより求められることが図示されている。これは、時間Ｇが、「コマ数ｎ分だけ離間することによる回転リール40周面における距離」を「回転速度Ｖ１」で除算して求められることを意味するものである。
　また、【００７５】の「・・・予め全ての位置データ及びその位置データから算出される回転速度及びその維持時間等を記録したデータテーブルを、回胴演出データ記憶手段210に設けておき、上当初の停止位置データ及び予め記憶したデータに基づいて、回転リール40を制御するようにしてもよい。・・・」との記載から、刊行物１には、「維持時間」を予め求めておくことが示されているといえる。
　
　したがって、刊行物１には、再回転制御手段310は、回転中図柄位置抽選手段184により抽選で決定された、全周に相当する０コマから２０コマの２１個の数値のうち、０コマを除く、１コマから２０コマまでの２０個のうちから１つの数値ｎを用いて、時間Ｇを予め求めておくことが示されているといえる。
　
　　　テ　上記ア〜ソの記載事項、上記タ〜ツの認定事項から、刊行物１には、次の発明（以下「刊行物１発明」という。）が記載されていると認められる（ａ〜ｍは、本件補正発明のＡ〜Ｍに対応させて付与した。）。
　
「ａ　複数個（２１個）の図柄61が均等に配列されているテープ状のリールテープ42が周囲に貼付され、回転可能な回転リール40を三個備え（認定１）、
ｂ　各回転リール40のストップスイッチ50の押下タイミング及び役抽選の結果に基づいて図柄を停止表示し、停止時の図柄の組み合わせによって、所定枚数のメダルを払い出す等の所定の特典（利益）を遊技者に付与するスロットマシンにおいて（【００２０】）、
ｃ　回転リールの回転を停止させるためのストップスイッチ（【請求項１】）と、
ｄ　回転リール40の回転が所定の定常回転速度になって定常回転するようになると、ストップスイッチ50の操作を有効とする通常遊技制御手段70（【００２９】、【００４８】）と、
ｅ　各回転リール40のストップスイッチ50の押下タイミング及び役抽選の結果に基づいて、回転リール40の回転を役抽選の結果に適合するように所定の図柄の組み合わせで停止させる停止演出制御手段300 （【００２０】、【００５１】）とを備え、
ｆ　停止演出制御手段300 は、所定の配置態様を維持した複数の回転リール40を同一回転速度で回転させ、その後、そのままの状態で停止させる回胴演出を行い（【００５８】）、
ｇ、ｈ、（ｍ）　回転加速度及び回転速度を全て共通にし、時間をパラメータにしてリールの回転を制御するものであって、
　停止演出（回胴演出）後、計時手段150のタイマー手段がタイムアップすると（時間Ｆ経過後）、左リール43の回転を開始し、回転速度Ｖ１まで回転速度を増加させ、
　左リール43が回転を開始した後、計時手段150のタイマー手段がタイムアップすると（時間Ｇ経過後）、左リール43と同一回転加速度で中リール44の回転を開始し、回転速度Ｖ１まで速度を増加させる
　速度調整処理を行う再回転制御手段310（認定２）を備え、
ｉ、（ｋ）　再回転制御手段310は、回転中図柄位置抽選手段184により抽選で決定された、全周に相当する０コマから２０コマの２１個の数値のうち、０コマを除く、１コマから２０コマまでの２０個のうちから１つの数値ｎを用いて、時間Ｇを予め求め（認定３）、
ｊ　所定時間を計時するためのタイマー機構を有する計時手段150（【００５５】）を備えた
　スロットマシン。」
　
　（２）当審にて新たに提示された、本願の出願前に頒布された刊行物である特開２０１１−７２３３２号公報（以下「刊行物２」という。）には、図面と共に次の事項が記載されている。
　・記載事項
　　　ア　「【０００１】
　本発明は、遊技者が遊技媒体を投入し、リールを回転させた後に停止させ、そのときに表示されているリールに描かれた図柄の組合せによって遊技結果が定まる
スロットマシンに関する。
　
　　　イ　「【００３９】
≪主制御回路の説明≫
　中央処理装置（以下、ＣＰＵと称する）１０６は、入出力バス１０４を介して入力される各種情報に応じて、ＲＯＭ１０８に記憶されている各種制御プログラムを実行することで、スロットマシン１０における遊技の制御を行う。
ＣＰＵ１０６は、各種制御プログラムの処理を、クロック発生回路１１２から供給されるクロック信号ＣＬＫおよび割込信号ＩＲに従って行っている。
・・・
【００４６】
　このように、モータ駆動回路１１６Ｌ、１１６Ｃ及び１１６Ｒが、
ＣＰＵ１０６から
割込信号ＩＲは、１．４９ミリ秒（以下、ｍｓｅｃという）周期で定期的に出力される
　
　　　ウ　「【００７１】
　図１２に示す加速パターンでは、各駆動パルスの出力タイミングを指定する情報が、クロック発生回路１１２から割込信号ＩＲが出力された数によって表されている。例えば、
（ａ）の通常加速パターンにおいて、各リールの回転を開始するときに、最初の駆動パルスは、回転開始から割込信号ＩＲが９０回出力されたとき（時間にして１．４９［ｍｓｅｃ］×９０＝１３４．１０［ｍｓｅｃ］が経過した時）に出力される。また、２発目の駆動パルスは、最初の駆動パルスが出力されてから割込信号ＩＲが１５回出力されたとき（時間にして１．４９［ｍｓｅｃ］×１５＝２２．３５［ｍｓｅｃ］が経過した時）に出力される。また、３発目から８発目までの駆動パルスは、各々、直前の駆動パルスが出力されてから割込信号ＩＲが７回出力されたとき（時間にして１．４９［ｍｓｅｃ］×７＝１０．４３［ｍｓｅｃ］が経過した時）に出力される。
　　　エ　「【０１１０】
　ＲＴ移行フラグがオンになっていた（ＹＥＳ）場合は、ＲＴ遊技へ移行したことを示す演出を実行すべく、
ＣＰＵ１０６は、
モータ駆動回路１１６Ｌ、１１６Ｃ、１１６Ｒへ駆動パルスを出力する
この駆動パルスの出力に関する処理は、
クロック発生回路１１２から割込信号ＩＲが出力されるごとに実行する割込処理
によって行われる。
　
　　　オ　「【０１４９】
　本実施形態におけるリール演出回転処理に関する処理では、モータ駆動回路１１６Ｒ，１１６Ｃ，１１６Ｌに対して駆動パルスを出力する割込処理で使用する各種変数の初期値をセットするとともに、当該割込処理の開始を指示している。以下、図２３および図２４を参照して、ＲＴ遊技へ移行後の最初の遊技において実行される、第２実施形態でのリール４０Ｌ，４０Ｃ，４０Ｒを用いた演出を行うための
割込処理（以下、リール加速処理という）
【０１５０】
　なお、
この加速処理は、
クロック発生回路１１２から割込信号ＩＲが出力されるごとに、モータ駆動回路１１６Ｒ，１１６Ｃ，１１６Ｌの各々について個別に実行される
　
　　　カ　「【０１６０】
　ここで、
再加速カウンタの値は、割込信号ＩＲが出力されるごと（すなわち、リール加速処理が行われるごと）に、初期値から「１」ずつ減算され、「０」になったときに、仮定速中の回転速度から定常回転速度へ再加速を行う。
・・・
【０１６２】
　
ステップＳ３５０で、再加速カウンタに各々初期値がセットされると、ＣＰＵ１０６は、
リール加速処理を終了し、次の割り込みから再加速中の処理を行う。
・・・
【０１６６】
　以上に説明したリール加速処理を、
ＲＴ遊技へ移行した最初の遊技におけるリール４０Ｌ，４０Ｃ，４０Ｒの回転開始時に行う
ボーナス図柄が横一列に並んだ状態で各リールが仮定速
で回転し、その状態で所定時間が経過すると、定常回転速度に再加速する
　
　　　キ　「【０１９０】
　また、第２実施形態において、図２４のステップＳ３４４で、「仮定速中」に移行してから、所定時間が経過した（ＹＥＳ）と判断されると、
ＣＰＵ１０６は、
各リールについて再加速を開始するタイミングを調整するため、
各再加速カウンタの値にセットする初期値を、
各々乱数に基づく抽選を行って、当該抽選によって決定された任意の値をセットする
すべてのリールが定常回転速度に達したときの、各リール間の相対位置がランダムな位置関係となるので、遊技者が特定の図柄を狙ってストップスイッチを操作するという技術介入性に影響を与えにくくすることができる。
　
　・認定事項
　　　ク　認定１
　【００３９】の「ＣＰＵ１０６は、各種制御プログラムの処理を、クロック発生回路１１２から供給されるクロック信号ＣＬＫおよび割込信号ＩＲに従って行っている。」との記載、【０１１０】の「ＣＰＵ１０６は、・・・モータ駆動回路１１６Ｌ、１１６Ｃ、１１６Ｒへ駆動パルスを出力する・・・。この駆動パルスの出力に関する処理は、・・・クロック発生回路１１２から割込信号ＩＲが出力されるごとに実行する割込処理・・・によって行われる。」との記載から、刊行物２には、
ＣＰＵ１０６が、モータ駆動回路への駆動パルスの出力処理を割込処理により行うこと
　
　　　ケ　認定２
　上記認定事項１に加え、刊行物２には、次の事項が記載されている。
　【００４６】の「割込信号ＩＲは、１．４９ミリ秒（以下、ｍｓｅｃという）周期で定期的に出力される」との記載、【００７１】の「（ａ）の通常加速パターンにおいて、各リールの回転を開始するときに、最初の駆動パルスは、回転開始から割込信号ＩＲが９０回出力されたとき（時間にして１．４９［ｍｓｅｃ］×９０＝１３４．１０［ｍｓｅｃ］が経過した時）に出力される。また、２発目の駆動パルスは、最初の駆動パルスが出力されてから割込信号ＩＲが１５回出力されたとき（時間にして１．４９［ｍｓｅｃ］×１５＝２２．３５［ｍｓｅｃ］が経過した時）に出力される。また、３発目から８発目までの駆動パルスは、各々、直前の駆動パルスが出力されてから割込信号ＩＲが７回出力されたとき（時間にして１．４９［ｍｓｅｃ］×７＝１０．４３［ｍｓｅｃ］が経過した時）に出力される。」との記載から、刊行物１には、割込信号ＩＲの出力回数に、割込信号ＩＲの出力される周期である１．４９ミリ秒の周期と乗算することにより、時間を算出することが記載されているといえる。
　そして、上記【０１６０】の「再加速カウンタの値は、割込信号ＩＲが出力されるごと（すなわち、リール加速処理が行われるごと）に、初期値から「１」ずつ減算され、「０」になったときに、仮定速中の回転速度から定常回転速度へ再加速を行う。」との記載によると、「再加速カウンタの値」は、クロック発生回路１１２から供給される「割込信号ＩＲ」が出力されるごとに、「１」ずつ減算されて更新されるものであるといえ、時間に関連する値であるといえる。
　また、【０１６２】に「ステップＳ３５０で、再加速カウンタに各々初期値がセットされる」との記載があり、【０１９０】に「各リールについて再加速を開始するタイミングを調整するため、・・・各再加速カウンタの値にセットする初期値を、・・・各々乱数に基づく抽選を行って、当該抽選によって決定された任意の値をセットする」との記載がある。
　
　したがって、刊行物２には、
各リールについて再加速を開始するタイミングを調整するために、各々乱数に基づく抽選によって決定され、１．４９ミリ秒の周期と乗算することにより時間を算出することができる、任意の値を各再加速カウンタにセットするＣＰＵ１０６
　
　　　コ　認定３
　上記認定事項１、２に加え、刊行物２には、次の事項が記載されている。
【００４６】には、「割込信号ＩＲは、１．４９ミリ秒（以下、ｍｓｅｃという）周期で定期的に出力される」との記載、【０１４９】の「割込処理（以下、リール加速処理という）」ことが記載され、【０１５０】には、「この加速処理は、・・・クロック発生回路１１２から割込信号ＩＲが出力されるごとに、モータ駆動回路１１６Ｒ，１１６Ｃ，１１６Ｌの各々について個別に実行される」ことが記載されている。
　したがって、刊行物２には、
ＣＰＵ１０６は、割込処理において、クロック発生回路１１２から、１．４９ミリ秒周期で定期的に出力される割込信号ＩＲが出力されるごとに、モータ駆動回路の各々について個別に実行すること
　
　　　サ　上記ア〜キの記載事項、上記けク〜コの認定事項から、刊行物２には、次の発明（以下「刊行物２発明」という。）が記載されていると認められる。
　「ＲＴ遊技へ移行した最初の遊技におけるリール４０Ｌ，４０Ｃ，４０Ｒの回転開始時に行うことにより、ボーナス図柄が横一列に並んだ状態で各リールが仮定速で回転し、その状態で所定時間が経過すると、定常回転速度に再加速するスロットマシンにおいて（【０１６６】、【０００１】）、
　モータ駆動回路への駆動パルスの出力処理を割込処理により行うＣＰＵ１０６（認定１）を備え、
ｇ　ＣＰＵ１０６は、
　　　各リールについて再加速を開始するタイミングを調整するために、各々乱数に基づく抽選によって決定され、１．４９ミリ秒の周期と乗算することにより時間を算出することができる、任意の値を各再加速カウンタにセットし（認定２）、
ｊ　　割込処理において、クロック発生回路１１２から、１．４９ミリ秒周期で定期的に出力される割込信号ＩＲが出力されるごとに、モータ駆動回路の各々について個別に実行し（認定３）、
ｋ　　各再加速カウンタの値にセットされる初期値には、各々乱数に基づく抽選によって決定された任意の値をセットし（【０１９０】、【図２４】）、
ｌ、ｍ　再加速カウンタの値は、割込信号ＩＲが出力されるごとに、初期値から「１」ずつ減算され、「０」になったときに、仮定速中の回転速度から定常回転速度へ再加速を行うことにより、各リールについて再加速を開始するタイミングを調整する（【０１４９】、【０１６０】、【０１９０】）、
　スロットマシン。」
　
　（３）対比
　本件補正発明と刊行物１発明とを、分説に従い対比する。
　
　　（ａ）刊行物１発明における
　　「複数個（２１個）の図柄61」、
　　「均等に配列されている」こと、
　　「テープ状のリールテープ42」、
　　「回転可能な」こと、
　　「回転リール40」は、それぞれ、
　本件補正発明における
　　「各々が識別可能な複数種類の識別情報」、
　　「所定の順番で配置された」こと、
　　「表示帯」、
　　「移動させることで変動表示可能な」こと、
　　「可変表示部」に相当する。
　
　したがって、刊行物１発明における構成ａの「…回転リール40を三個備え」ることは、本件補正発明における構成Ａの「…可変表示部を複数備え」ることに相当する。
　
　　（ｂ）刊行物１発明における
　　「各回転リール40のストップスイッチ50の押下タイミング及び役抽選の結果に基づいて図柄を停止表示」すること、
　　「停止時の図柄の組み合わせによ」ること、
　　「所定枚数のメダルを払い出す等の所定の特典（利益）を遊技者に付与する」ことは、それぞれ、
　本件補正発明における
　　「可変表示部の変動表示を停止することで表示結果を導出」すること、
　　「複数の可変表示部の表示結果の組合せに応じ」ること、
　　「入賞が発生可能」なことに相当する。
　
　したがって、刊行物１発明における構成ｂは、本件補正発明における構成Ｂに相当する。
　
　　（ｃ）刊行物１発明において、「回転リールの回転を停止させる」と、図柄が停止表示されることから、刊行物発明における構成ｃの「…ストップスイッチ」は、本件補正発明における構成Ｃの「…導出操作手段」に相当する。
　
　　（ｄ）刊行物１発明における
　　　「回転リール40の回転が所定の定常回転速度になって定常回転するようになる」こと、
　　　「ストップスイッチ50の操作を有効とする」ことは、それぞれ、
　本件補正発明における
　　　「変動速度が規定速度となったとき」、
　　　「導出操作手段の操作を有効化する」ことに相当する。
　
　したがって、刊行物１発明における構成ｄの「…通常遊技制御手段70」は、本件補正発明における構成Ｄの「…導出操作有効化手段」に相当する。
　
　　（ｅ）刊行物１発明における
　　　「各回転リール40のストップスイッチ50の押下タイミング」、
　　　「回転リール40の回転を役抽選の結果に適合するように所定の図柄の組み合わせで停止させ」ることは、それぞれ、
　本件補正発明における
　　　「導出操作手段が操作されたとき」、
　　　「表示結果を導出する制御を行う」ことに相当する。
　
　したがって、刊行物１発明における構成ｅの「…停止演出制御手段300 」は、本件補正発明における構成Ｅの「…導出操作有効化手段」に相当する構成を備えるものといえる。
　
　　（ｆ）刊行物１発明における
　　　「所定の配置態様を維持した複数の回転リール40を同一回転速度で回転させ、その後、そのままの状態で停止させる」こと、
　　　「回胴演出」は、それぞれ、
　本件補正発明における
　　　「複数の可変表示部を構成する表示帯同士の相対的な位置関係が特定位置関係となるように複数の可変表示部の変動制御を行う」こと、
　　　「特殊変動制御」に相当する。
　
　したがって、刊行物１発明における構成ｆの「…停止演出制御手段300」は、本件補正発明における構成Ｆの「…特殊変動制御手段」に相当する。
　
　　（ｇ）刊行物１発明における
　　　「停止演出（回胴演出）後、計時手段150のタイマー手段がタイムアップした（時間Ｆ経過後）」とき、
　　　「左リール43」、
　　　「回転速度Ｖ１」、
　　　「回転を開始し、回転速度Ｖ１まで回転速度を増加させ」ることは、それぞれ、
　本件補正発明における
　　　「特殊変動制御が行われた後」、
　　　「一の可変表示部」、
　　　「規定速度」、
　　　「変動速度を規定速度に向けて変更する」ことに相当する。
　
　したがって、刊行物１発明における構成ｇ、ｈの「停止演出（回胴演出）後、計時手段150のタイマー手段がタイムアップすると（時間Ｆ経過後）、左リール43の回転を開始し、回転速度Ｖ１まで回転速度を増加させ」る「速度調整処理を行う再回転制御手段310」は、本件補正発明における構成Ｇの「前記特殊変動制御が行われた後、一の可変表示部の変動速度を前記規定速度に向けて変更する第１の変動速度変更手段」に相当する。
　
　　（ｈ）刊行物１発明における
　　　「時間Ｇ」、
　　　「計時手段150のタイマー手段がタイムアップすると（時間Ｇ経過後）」、
　　　「左リール43と同一回転加速度で中リール44の回転を開始し、回転速度Ｖ１まで速度を増加させ」ることは、それぞれ、
　本件補正発明における
　　　「特定時間」、
　　　「一の可変表示部の変動速度を規定速度に向けて変更させる制御が開始されてから特定時間が経過した」とき、
　　　「他の可変表示部の変動速度を規定速度に向けて変更する」ことに相当する。
　
　したがって、刊行物１発明における構成ｇ、ｈの「左リール43が回転を開始した後、計時手段150のタイマー手段がタイムアップした（時間Ｇ経過後）ら、左リール43と同一回転加速度で中リール44の回転を開始し、回転速度Ｖ１まで速度を増加させる」「速度調整処理を行う再回転制御手段310」は、本件補正発明における構成Ｈの「前記一の可変表示部の変動速度を前記規定速度に向けて変更させる制御が開始されてから特定時間が経過したことに基づいて他の可変表示部の変動速度を前記規定速度に向けて変更する第２の変動速度変更手段」に相当する。
　
　　（ｉ）まず、上記（ｈ）より、刊行物１発明における「時間Ｇ」は、本件補正発明における「特定時間」に相当する。
　
　ところで、特定時間の決定に関して、本願明細書の発明の詳細な説明には、次の記載等がある。
　まず、【０１０９】には、「・・・本実施例では、リールモータ３２Ｌ、３２Ｃ、３２Ｒに、３３６ステップ（０〜３３５）の周期で１周するステッピングモータを用いている。すなわちリールモータ３２Ｌ、３２Ｃ、３２Ｒを３３６ステップ駆動させることでリール２Ｌ、２Ｃ、２Ｒが１周することとなる。そして、リール１周に対して１６ステップ（１図柄が移動するステップ数）毎に分割した２１の領域（コマ）が定められており、これらの領域には、リール基準位置から０〜２０の領域番号が割り当てられている。一方、１リールに配列された図柄数も２１であり、各リールの図柄に対して、リール基準位置から０〜２０の図柄番号が割り当てられているので、０番図柄から２０番図柄に対して、それぞれ０〜２０の領域番号が順に割り当てられていることとなる。・・・」ことが記載され、
　【０４４１】には、「詳しくは、図３２に示すように、左リール用タイマ値（Ｌｔ）は、左遅延用乱数値（Ｌｒ）を２１で除して余った値であり、中リール用タイマ値（Ｃｔ）は、中遅延用乱数値（Ｃｒ）を２１で除して余った値であり、右リール用タイマ値（Ｒｔ）は、右遅延用乱数値（Ｒｒ）を２１で除して余った値であり、いずれも０〜２０の値となる。」ことが記載され、また、
　【０４５１】には、「前述のように遅延用タイマカウンタ値は、約０．５６ｍｓ毎に実行されるタイマ割込処理（メイン）が実行される毎に１ずつ減算されることとなり、（（中リール用タイマ値×６０）／０．５６）ｍｓの時間が計時されることとなり、中リール用タイマ値は０〜２０の範囲の値であり、リールが１図柄移動するのに本実施例では、約３３．６ｍｓ要することとなるので、中リールの加速完了後、０〜リール１周するまでのタイミングで右リールの回転が開始することとなる。」ことが記載されている。
　これらの記載から、本願明細書には、決定されるタイマ値を、０〜２０の値の範囲、すなわち、「リールが１周するまで」の値の範囲から決定することが記載されているといえる。
　また、【００２１】には、「リール２Ｌ、２Ｃ、２Ｒの外周部には、図３に示すように、それぞれ・・・互いに識別可能な複数種類の図柄が所定の順序で、それぞれ２１個ずつ描かれている。リール２Ｌ、２Ｃ、２Ｒの外周部に描かれた図柄は、前面扉１ｂの略中央に設けられた透視窓３において各々上中下三段に表示される。」こと、すなわち、各リールに２１個の図柄が描かれていることが記載されている。
　これらの記載からみて、本願明細書には、特定時間を「リールが１周するまで」の値の範囲、すなわち、０〜各リールに描かれた図柄のコマ数である２０の値の範囲内から決定することが記載されているといえる。
　したがって、本件補正発明における「一の可変表示部が一周するまでの時間範囲内」とは、「０〜各リールに描かれた図柄の個数である２０の値の範囲」内を意味するものと解される。
　一方、刊行物１発明における「時間Ｇ」は、「全周に相当する１コマから２０コマまでの２０個のうちから１つの数値ｎを用い」て決定されるものである。
　ゆえに、刊行物１発明における「時間Ｇ」の決定される範囲である「１コマから２０コマ」の時間範囲と、本件補正発明における「一の可変表示部が一周するまでの時間範囲」とは、「一の可変表示部が略一周するまでの時間範囲」である点で共通する。
　また、刊行物１発明における「抽選で決定」することは、本件補正発明における「ランダムに決定」することに相当する。
　
　よって、刊行物１発明における構成ｉの「…再回転制御手段310」と、本件補正発明における構成Ｉの「…特定時間決定手段」とは、「特定時間を一の可変表示部が略一周するまでの時間範囲内からランダムに決定する特定時間決定手段」である点で共通する。
　
　　（ｊ）刊行物１発明における「所定時間を計時するためのタイマー機構」と、本件補正発明における「一定時間間隔毎に定期処理を実行する」こととを対比する。
　ここで、後者における「定期処理」は、時間を算出するための処理であることから、両者は、「時間を算出するための処理を実行する」点で共通する。
　したがって、刊行物発明における「所定時間を計時するためのタイマー機構を有する計時手段150」と本件補正発明における「一定時間間隔毎に定期処理を実行する定期処理実行手段」とは、「時間を算出するための処理を実行する時間算出手段」である点で共通する。
　
　　（ｋ）刊行物１発明における構成ｉと、本件補正発明における構成Ｋとは、上記（ｉ）における検討内容を踏まえると、「特定時間決定手段は、特定時間として算出される時間が一の可変表示部が略一周するまでの時間範囲内となるようにランダムに決定」する点で共通する。
　
　　（ｍ）刊行物１発明における構成ｇ、ｈと、本件補正発明における構成Ｍとは、本件補正発明において、「特定値」と「定期処理の時間間隔」が、時間を算出するための値であること、及び、上記（ｆ）、（ｊ）における検討内容を踏まえると、「第２の変動速度変更手段は、時間を算出するための処理により算出された時間が所定時間となったことに基づいて他の可変表示部の変動速度を規定速度に向けて変更する」点で共通する。
　
　　（ｎ）上記（ａ）〜（ｍ）によれば、本件補正発明と刊行物１発明は、
「Ａ　各々が識別可能な複数種類の識別情報が所定の順番で配置された表示帯を移動させることで変動表示可能な可変表示部を複数備え、
Ｂ　可変表示部の変動表示を停止することで表示結果を導出し、複数の可変表示部の表示結果の組合せに応じて入賞が発生可能なスロットマシンにおいて、
Ｃ　遊技者が表示結果を導出させるために操作する導出操作手段と、
Ｄ　可変表示部の変動速度が規定速度となったときに前記導出操作手段の操作を有効化する導出操作有効化手段と、
Ｅ　前記導出操作手段が操作されたときに表示結果を導出する制御を行う導出制御手段と、
Ｆ　複数の可変表示部を構成する表示帯同士の相対的な位置関係が特定位置関係となるように複数の可変表示部の変動制御を行う特殊変動制御を行うことが可能な特殊変動制御手段と、
Ｇ　前記特殊変動制御が行われた後、一の可変表示部の変動速度を前記規定速度に向けて変更する第１の変動速度変更手段と、
Ｈ　前記一の可変表示部の変動速度を前記規定速度に向けて変更させる制御が開始されてから特定時間が経過したことに基づいて他の可変表示部の変動速度を前記規定速度に向けて変更する第２の変動速度変更手段と、
Ｉ’前記特定時間を前記一の可変表示部が略一周するまでの時間範囲内からランダムに決定する特定時間決定手段と、
Ｊ’時間を算出するための処理を実行する時間算出手段と、
　を備え、
Ｋ’前記特定時間決定手段は、前記特定時間として算出される時間が前記一の可変表示部が略一周するまでの時間範囲内となるようにランダムに決定し、
Ｍ’前記第２の変動速度変更手段は、前記時間を算出するための処理により算出された時間が所定時間となったことに基づいて他の可変表示部の変動速度を前記規定速度に向けて変更する
　スロットマシン。」
　の点で一致し、次の点で相違する。
　
［相違点１］（構成Ｉ、Ｋに関する）
　特定時間として決定可能な時間範囲が、
　本件補正発明は、一の可変表示部が一周するまでの時間範囲内であるのに対して、
　刊行物１発明は、１コマから２０コマに対応する時間範囲内であるが、０コマを時間範囲に含むか否か不明である点で一応相違する。
　
［相違点２］（構成Ｊ〜Ｍに関する）
　他の可変表示部の変動速度を前記規定速度に向けて変更する所定時間となったか否かの判断に関し、
　本件補正発明は、一定時間間隔毎に定期処理を実行する定期処理実行手段を備え、特定時間を定期処理の時間間隔とから算出するために用いられる、特定値をランダムに決定し、定期処理において更新された特定値が所定値となったことに基づいて行うのに対して、
　刊行物１発明は、所定時間を計時するためのタイマー機構を有する計時手段150を備えるが、本件補正発明の上記構成を備えるか否か明らかでない点。
　
　（４）当審の判断
　　　ア　相違点１について
　上記相違点１について検討する。
　本件補正発明は、特定時間として決定可能な時間範囲の終点が、「一周するまで」（「一周するまで」とは、本願明細書の【０１０９】、【０４４１】、【０４５１】の記載によれば２０コマ分に相当する。）の時間であることを特定するものであるが、当該始点について特定するものではない。
　一方、刊行物１発明は、特定時間として決定可能な時間範囲の終点が、本件補正発明と同様に、２０コマに対応する時間であることを特定するものである。
　そうすると、上記相違点１に係る構成に関して、本件補正発明と刊行物１発明とは、特定時間として決定可能な時間範囲の終点が同じであるという限りにおいて、実質同一であるといえる。
　
　ここでは、仮に、本件補正発明における特定時間として決定可能な時間範囲の始点に、隣接する可動表示部の間で全く移動しない状態に対応する時間を含むものとして、以下検討する。
　刊行物１には、ランダム再配置を１つの回転リールだけで実施し、残りの２つの回転リールの図柄は揃った状態のままとしてもよい（段落【０１２２】）ことが記載されており、この記載は、ランダム再配置において、回転リールの相対位置が変化しない状態を許容することを示唆している。
　そして、刊行物１発明において、「１コマ」は、隣接するリールの間で図柄の相対的な位置関係が変化する値である。しかしながら、刊行物１記載の上記示唆事項を勘案すれば、刊行物１発明において、相対的な位置関係が変化しない位置も含めて抽選を行うようにし、相対的な位置関係が変化しない値（０コマ）から、相対的な位置関係が１周分変化する値から１を減算した値（２０コマ）までの全周に相当する範囲内から、ランダムに所定値を決定するように構成することは、当業者が適宜なし得たことである。
　よって、刊行物１記載の示唆事項を勘案すれば、刊行物１発明において、上記相違点１に係る本件補正発明の構成とすることは、当業者が容易になし得たものである。
　
　　　イ　相違点２について
　上記相違点２について検討する。
　　　（ア）理由１
　刊行物２発明における「任意の値」、「１．４９ミリ秒周期」、「割込処理」は、それぞれ、本件補正発明における「特定値」、「一定時間間隔毎」、「定期処理」に相当する。
　そうすると、刊行物２発明における構成ｊの「割込処理」を「実行」する「ＣＰＵ１０６」は、本件補正発明における構成Ｊの「定期処理を実行する定期処理実行手段」としての機能を有する。
　そして、刊行物２発明における構成ｋの「各々乱数に基づく抽選によって」「任意の値を」「決定」する「ＣＰＵ１０６」は、本件補正発明における構成Ｋの「特定値をランダムに決定」する「特定時間決定手段」としての機能を有する。
　また、刊行物２発明における構成ｇの「任意の値」と「１．４９ミリ秒の周期と乗算することにより」「算出」される「時間」は、本件補正発明における構成Ｋの「特定時間として前記定期処理の時間間隔と特定値から算出される時間」に相当する。
　さらに、刊行物２発明における「割込信号ＩＲが出力されるごとに、初期値から「１」ずつ減算」する「ＣＰＵ１０６」は、初期値としてセットされた任意の値が割込処理において更新されることであるから、本件補正発明における「特定値」を「定期処理において更新」する「特定時間決定手段」としての機能を有する。また、刊行物２発明における「任意の値」が、「「０」になったときに、仮定速中の回転速度から定常回転速度へ再加速を行う」ことは、「再加速」が「各リールについて再加速を開始するタイミングを調整する」ために行われるものであって、リール間でタイミングをずらして再加速を開始することであるから、本件補正発明における「定期処理により更新された特定値が所定値となったことに基づいて他の可変表示部の変動速度を規定速度に向けて変更する」ことに相当する。
　したがって、刊行物２発明の構成ｌ、ｍの「ＣＰＵ１０６」は、本件補正発明における構成Ｌ、Ｍの「特定時間決定手段」、「第２の変動速度変更手段」としての機能を有する。
　よって、刊行物２発明は、本件補正発明の構成Ｊ〜Ｍを少なくとも備えるものである。
　
　ここで、刊行物１発明は、回転リールによる回胴演出が可能な遊技機に関するもの（【０００１】）であって、「回胴演出後、目押しの補助とならないようにして、遊技の興趣を向上させ」る（【０００５】）という課題を解決するものである。
　一方、刊行物２発明は、ボーナス図柄が横一列に並んだ状態で各リールが仮定速で回転させた後、定常回転速度まで再加速するスロットマシンに関するものであって、「遊技者が特定の図柄を狙ってストップスイッチを操作するという技術介入性に影響を与えにくくすることができる。」（【０１９０】）という作用効果を奏するものである。
　そうすると、刊行物１発明と刊行物２発明とは、回胴演出後にリールの回転を再加速させるスロットマシンという同一の技術分野に属する発明であって、再加速させるに際し、目押しの補助とならないようにするという共通の課題を解決する発明である。
　したがって、刊行物１発明に刊行物２発明を適用する動機付けは十分にあるといえる。
　そして、刊行物１発明のタイマー機構により所定時間を計時する構成に、刊行物２発明を適用して、特定値と定期処理の時間間隔とを用いて計時を行い、上記相違点２に係る本件補正発明の構成とすることは、当業者が容易になし得たものである。
　
　さらに言えば、刊行物１発明において、特定時間として決定可能な時間範囲を一の可変表示部が一周するまでの時間範囲内とすることは、上記アで検討したとおり、当業者が容易になし得たものであるから、その範囲内で特定値をランダムに決定することも当業者が容易になし得たものである。
　
　　　（イ）理由２
　相違点２について、異なる観点からさらに検討する。
　本件補正発明において、特定時間は、特定値と特定値定期処理の時間間隔（一定値）とを用いて導かれるものである。
　ところで、スロットマシンの技術分野において、特定値を抽選によりランダムに決定し、特定値と定期処理の時間間隔とから時間を算出し、リールの回転開始制御に用いることは、本願出願前に周知の技術事項である（例えば、前記刊行物２（特開２０１１−７２３３２号公報）には、各再加速カウンタの値にセットされる初期値には、各々乱数に基づく抽選によって決定された任意の値をセットし、再加速カウンタの値は、割込信号ＩＲが出力されるごとに、初期値から「１」ずつ減算され、「０」になったときに、仮定速中の回転速度から定常回転速度へ再加速を行うことにより、各リールについて再加速を開始するタイミングを調整するスロットマシンについて記載され、
　特開２００６−１０２１１５号公報の【０００１】、【００７２】〜【００７４】、【００８８】〜【００９７】、【図１５】には、
抽選処理により選択された遅延タイマ値と、割込基準時間（定期処理の時間間隔）とを用いて遅延時間（特定時間）を算出可能とし、遅延タイマ値を待機タイマ値（特定値）として設定し、待機タイマ値がタイムアウトしたときに、対応するメインリールの回転を開始させるスロットマシンについて記載されている。）。
　そして、刊行物１発明と上記周知の技術事項とは、ランダムに決定された特定値を用いて、リールの回転開始制御を行うスロットマシンという共通の技術分野に属するものである。
　したがって、刊行物１発明のタイマー機構により所定時間を計時する構成に、上記周知の技術事項を適用して、特定値と定期処理の時間間隔とを用いて計時を行い、上記相違点２に係る本件補正発明の構成とすることは、当業者が容易になし得たものである。
　
　　　ウ　請求人の主張について
　請求人は、平成２９年２月８日付けの審判請求書において、「このように、引例からは一の可変表示部と他の可変表示部の相対的位置関係を最大限ずらすこと及びそのための具体的構成を導き出すことは容易に想到されるものではないと思量します。」（９頁第９〜１２行）と主張する。
　
　しかしながら、上記「ア　相違点１について」において検討したように、刊行物１に記載された示唆事項を勘案すれば、刊行物１発明において、「１コマから２０コマまでの２０個のうちから１つの数値ｎを用い」ることに換えて、「０コマから２０コマまでの２１個のうちから１つの数値ｎを用い」るようにすることは、当業者が容易になし得たものである。
　したがって、上記請求人の主張を採用することはできない。
　
　　　エ　小括
　本件補正発明により奏される効果は、当業者が、刊行物１発明、及び、刊行物２発明、若しくは、周知の技術事項から予測し得た範囲内のものであって、格別のものではない。
　上記ア〜ウにおいて検討したことからみて、本件補正発明は、刊行物１発明、及び、刊行物２発明、若しくは、周知の技術事項に基づいて当業者が容易に発明をすることができたものであるから、特許法第２９条第２項の規定により、特許出願の際独立して特許を受けることができない。
　
　４　むすび
　上記３より、本件補正は、特許法第１７条の２第６項において準用する同法第１２６条第７項の規定に違反するので、同法第１５９条第１項において読み替えて準用する同法第５３条第１項の規定により却下すべきものである。
　
第３　本願発明について
　１　本願発明
　本件補正は上記のとおり却下されたので、本願の請求項２に係る発明（以下「本願発明」という。）は、平成２８年５月２５日付け手続補正書の特許請求の範囲の請求項２に記載された事項により特定される次のとおりのものである。
　
「【請求項２】
　各々が識別可能な複数種類の識別情報が所定の順番で配置された表示帯を移動させることで変動表示可能な可変表示部を複数備え、
　可変表示部の変動表示を停止することで表示結果を導出し、複数の可変表示部の表示結果の組合せに応じて入賞が発生可能なスロットマシンにおいて、
　遊技者が表示結果を導出させるために操作する導出操作手段と、
　可変表示部の変動速度が規定速度となったときに前記導出操作手段の操作を有効化する導出操作有効化手段と、
　前記導出操作手段が操作されたときに表示結果を導出する制御を行う導出制御手段と、
　複数の可変表示部を構成する表示帯同士の相対的な位置関係が特定位置関係となるように複数の可変表示部の変動制御を行う特殊変動制御を行うことが可能な特殊変動制御手段と、
　前記特殊変動制御が行われた後、一の可変表示部の変動速度を前記規定速度に向けて変更する第１の変動速度変更手段と、
　前記一の可変表示部の変動速度を前記規定速度に向けて変更させる制御が開始されてから特定時間が経過したことに基づいて他の可変表示部の変動速度を前記規定速度に向けて変更する第２の変動速度変更手段と、
　前記特定時間を前記一の可変表示部が一周するまでの時間範囲内からランダムに決定する特定時間決定手段と、
　を備える
　ことを特徴とするスロットマシン。」
　
　２　刊行物
　刊行物１の記載事項、刊行物１発明は、前記「第２［理由］　３（１）刊行物」に記載したとおりである。
　
　３　対比・判断
　本願発明は、前記「第２　２　補正の目的」において検討したとおり、本件補正発明において、「特定時間決定手段」に関して、「
一定時間間隔毎に定期処理を実行する定期処理実行手段と、
、前記特定時間決定手段は、前記特定時間として前記定期処理の時間間隔と特定値から算出される時間が前記一の可変表示部が一周するまでの時間範囲内となるように特定値をランダムに決定し、前記特定時間決定手段により決定された特定値は前記定期処理において更新され
前記第２の変動速度変更手段は、前記定期処理により更新された特定値が所定値となったことに基づいて他の可変表示部の変動速度を前記規定速度に向けて変更する
　
　そうすると、本願発明と刊行物１発明とは、前記「第２［理由］　３（２）対比」において検討したように、［相違点１］の点で異なるものである。
　そして、相違点１については、前記「第２［理由］　３（３）ア相違点１について」において検討したように、当業者が刊行物１発明に基づいて容易になし得たものである。
　
　４　むすび
　以上のとおりであるから、本願発明は、刊行物１発明に基づいて当業者が容易に発明をすることができたものであるから特許法第２９条第２項の規定により特許を受けることができない。
　したがって、その余の請求項について検討するまでもなく、本願は、拒絶されるべきものである。
　
　よって、結論のとおり審決する。